(57)【要約】      （修正有）【課題】吸引磁石を回転子カバーに直接設置することで、部品数を減らし、収率を高め、かつ吸引磁石をベアリングの上側に隣接して設置することで、別途の部品なしにベアリング内のオイルが外部へ流出することを防止するスピンドルモーターを提供する。【解決手段】スピンドルモーター１００は、回転軸１１１と、回転軸１１１に結合されて回転軸１１１を回転させるための回転子カバー１２１と、回転軸１１１を回転可能に支持するためのベアリング１１５と、ベアリング１１５を支持するためのホルダー１２５と、回転子カバー１２１の内壁に直接設置される吸引磁石１４１とを含む。ここで、吸引磁石１４１は、ベアリング１１５内のオイルの外部流出を防止するために、ベアリング１１５の上側に位置するように設置される。【選択図】図１
2010172193.tif 000002
【特許請求の範囲】
【請求項１】
回転軸；  前記回転軸に結合され、前記回転軸を回転させるための回転子カバー；  前記回転軸を回転可能に支持するためのベアリング；  前記ベアリングを支持するためのホルダー；及び  前記回転子カバーの内壁に直接設置される吸引磁石；を含むことを特徴とするスピンドルモーター。    
【請求項２】
前記吸引磁石は、前記ベアリング内のオイルの外部流出を防止するために、前記ベアリングの上側に位置することを特徴とする、請求項１に記載のスピンドルモーター。    
【請求項３】
前記吸引磁石は、前記回転軸と隣接して前記回転子カバーに設置されることを特徴とする、請求項１または２に記載のスピンドルモーター。
【発明の詳細な説明】
【技術分野】
【０００１】
本発明はスピンドルモーターに係り、より詳しくは部品数が減少し、収率が高いスピンドルモーターに関するものである。
【背景技術】
【０００２】
スピンドルモーターは、光ディスクドライブ（ｏｐｔｉｃａｌ ｄｉｓｋ ｄｒｉｖｅ）に設置され、ターンテーブルを駆動させることで、ターンテーブルに搭載されるディスクを回転させるための装置である。一般に、図２に示すように、スピンドルモーター２００は、回転部２０１と固定部２０５とからなっている。  
【０００３】
回転部２０１はモーター２００において回転する部分で、回転軸２１１、回転子カバー２２１、及び磁石２３１から構成されている。  
【０００４】
回転軸２１１は、ターンテーブル（図示せず）を回転させるためのものである。  
【０００５】
回転子カバー２２１は回転軸２１１を回転させるためのもので、中央に回転軸２１１が押し込まれる押込孔２２２が形成されており、押込孔２２２の末端には、ベアリング２１５からオイルが流出することを防止するためのオイル流出防止片２２３が取り付けられている。また、回転子カバー２２１は半径方向に伸び、その周縁部は固定子２３５を覆うように下向きに折り曲げられて延設されている。  
【０００６】
磁石２３１は磁界を形成するためのもので、回転子カバー２２１の内壁２２４に固定されている。  
【０００７】
固定部２０５はモーター２００において固定される部分で、ベアリング２１５、ホルダー２２５、固定子２３５及びベース２４５から構成されている。  
【０００８】
ベアリング２１５は回転軸２１１を回転可能に支持するためのものである。  
【０００９】
ホルダー２２５はベアリング２１５を固定状態で支持するためのもので、内周面にベアリング２１５が固定結合されている。  
【００１０】
固定子２３５は外部の電源を受けて電界を形成するためのもので、ホルダー２２５の外周面に固定結合されている。  
【００１１】
また、固定子２３５は、内周面上側部に、ディスク（図示せず）の回転時、ディスクの損傷を防止するために、ディスクを引くための吸引磁石２３６がバックヨーク２３７を介して固定結合されている。  
【００１２】
ベース２４５はモーター２００全体を支持するためのもので、中央部位に、一部が外部へ伸びて突出し、それに挿入孔２４６が形成され、上面に、モーター２００を駆動する信号を制御するプリント基板２４７が設置されている。  
【００１３】
しかし、前述した構成を有する従来技術のスピンドルモーター２００は、吸引磁石２３６を取り付けるために、バックヨーク２３７を備えており、ベアリング２１５内のオイルが外部へ流出することを防止するために、オイル流出防止片２２３を備えているため、部品数が増加するだけでなく、作業工程が複雑で収率が低下する問題があった。
【発明の開示】
【発明が解決しようとする課題】
【００１４】
したがって、本発明は前述した従来技術の問題点を解決するためになされたもので、本発明の目的は、吸引磁石を回転子カバーに直接設置することで、部品数を減らし、収率を高めることができるスピンドルモーターを提供することである。  
【００１５】
また、本発明の他の目的は、吸引磁石をベアリングの上側に隣接して設置することで、別途の部品なしにベアリング内のオイルが外部へ流出することを防止することができるスピンドルモーターを提供することである。
【課題を解決するための手段】
【００１６】
前述した本発明の目的を達成するために、本発明は、回転軸；前記回転軸に結合され、前記回転軸を回転させるための回転子カバー；前記回転軸を回転可能に支持するためのベアリング；前記ベアリングを支持するためのホルダー；及び前記回転子カバーの内壁に直接設置される吸引磁石；を含むことを特徴とするスピンドルモーターを提供する。  
【００１７】
本発明のスピンドルモーターにおいて、前記吸引磁石は、前記ベアリング内のオイルの外部流出を防止するために、前記ベアリングの上側に位置することができる。  
【００１８】
前記吸引磁石は、前記回転軸と隣接して前記回転子カバーに設置されることができる。
【発明の効果】
【００１９】
本発明のスピンドルモーターによれば、バックヨークを介して吸引磁石を固定子に設置した従来とは異なり、回転子カバーに直接設置し、オイル流出防止片を設置してベアリング内のオイルの流出を防止した従来とは異なり、吸引磁石をベアリングの上側に隣接して取り付けることで、オイルが流出することを防止するので、部品数が減少し、収率を高めることができる。
【発明を実施するための最良の形態】
【００２０】
以下、添付図面を参照して本発明の好適な実施例によるスピンドルモーターについて詳細に説明する。  
【００２１】
図１に示すように、スピンドルモーター１００は、回転部１０１と固定部１０５を含む。  
【００２２】
回転部１０１はモーター１００において回転する部分で、回転軸１１１、回転子カバー１２１、磁石１３１及び吸引磁石１４１を具備する。  
【００２３】
回転軸１１１はターンテーブル（図示せず）を回転させる。  
【００２４】
回転子カバー１２１は回転軸１１１を回転させるためのもので、中央に、回転軸１１１が押し込まれる押込孔１２２が形成される。また、回転子カバー１２１は半径方向に伸び、周縁部は固定子１３５を覆うように下向きに折り曲げられて延設される。  
【００２５】
磁石１３１は磁界を形成するためのもので、回転子カバー１２１の下向きに折曲された周縁部の内壁１２３に固定設置される。  
【００２６】
吸引磁石１４１は、ディスクの回転時、ディスクの損傷を防止するためのもので、回転子カバー１２１の内側面に取り付けられる。この際、吸引磁石１４１は、従来技術とは異なり、バックヨークなしに回転子カバー１２１に直接取り付けられ、回転軸１１１と隣接して設置される。また、回転軸１１１の回転時、ベアリング１１５内に貯留されたオイルが外部へ流出することを防ぐために、吸引磁石１４１はベアリング１１５と隣接して取り付けられる。  
【００２７】
固定部１０５はモーター１００において回転しないで固定される部分で、ベアリング１１５、ホルダー１２５、固定子１３５及びベース１４５を具備する。  
【００２８】
ベアリング１１５は回転軸１１１を回転可能に支持する。  
【００２９】
ホルダー１２５はベアリング１１５を固定状態で支持するためのもので、内周面にベアリング１１５が固定結合される。  
【００３０】
固定子１３５は外部の電源を受けて電界を形成するためのもので、ホルダー１２５の外周面に固定結合されるボビン１３６と、ボビン１３６に巻線されるコイル１３７とを有する。  
【００３１】
ベース１４５はモーター１００全体を支持するためのもので、中央部位に、一部が外部へ伸びて突出する挿入孔１４６が形成され、上面に、モーター１００を駆動する信号を制御するプリント基板１４７が設けられる。  
【００３２】
以上、本発明の好適な実施例を参照して本発明のスピンドルモーターについて説明したが、本発明の思想を逸脱しない範囲内で多様な修正、変更及び変形実施例が可能であることは当業者に明らかであろう。
【産業上の利用可能性】
【００３３】
本発明は、部品数が減少し、収率が高いスピンドルモーターに適用可能である。
【図面の簡単な説明】
【００３４】
【図１】本発明の好適な実施例によるスピンドルモーターの概略断面図である。
【図２】従来技術のスピンドルモーターの概略断面図である。
【符号の説明】
【００３５】
１００    スピンドルモーター  １０１    固定部  １１１    回転軸  １２１    回転子カバー  １３１    磁石  １４１    吸引磁石  １０５    固定部  １１５    ベアリング  １２５    ホルダー  １３５    固定子  １４５    ベース
【図１】
2010172193.tif 000003
【図２】
2010172193.tif 000004
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
回転軸;
前記回転軸と結合する押込孔が形成された、前記回転軸を回転させるための回転子カバー；
前記回転軸を回転可能に支持するためのベアリング；
前記ベアリングを支持するためのホルダー; 
下部が前記ホルダーの外周面に結合され支持される電解を形成するための固定子;及び
前記ベアリング内のオイルの外部流出を防止するように、前記ベアリングの上側であって、前記押込孔の外周部下端より突出して前記押込孔の外周部で前記回転子カバーに直接設置される、断面形状が矩形状の吸引磁石
を含み、
前記吸引磁石は、内径が、前記ベアリングの内径よりも大きく、かつ前記ベアリングの外径よりも小さく、外径が前記固定子の内径よりも大きく、前記固定子の上方に設置されるスピンドルモーター。
【請求項２】
前記吸引磁石は、前記回転軸と隣接して前記回転子カバーに設置されることを特徴とする、請求項１に記載のスピンドルモータ。
【請求項３】
前記ベアリングは、上段部及び下段部を有し、前記上段部及び前記下段部が前記回転軸と接触部を構成し、
前記ホルダーは、内周面が前記ベアリングの前記下段部及び前記上段部の下部を覆うように設置され、前記内周面が前記ベアリングを支持し、
前記固定子は、上部が前記ホルダーの外周面上端より突出しかつ前記ベアリングとの間に隙間が生じるように設置されることを特徴とする、請求項１または２に記載のスピンドルモータ。
【請求項４】
前記ベアリングの高さは、前記固定子の高さと同様であることを特徴とする、請求項１から３の何れか１項に記載のスピンドルモータ。